(57)【要約】【課題】本発明は発芽、生育に手数がかからず、雑草の生育を効率よく抑制して、維持、管理が低コストで容易にでき、美観の向上を図ることができる緑化舗装工法および緑化舗装を得るにある。【解決手段】建設汚泥や建設発生土等を強アルカリ性になるように加工した改良土を分離帯花壇部、車道と歩道の間の花壇部、交差緑地部、路肩、路肩法面部等の地面に下部から植物が出てくるのを阻止できる所定厚さに押し圧固定した改良土層を形成する改良土層形成工程と、この改良土層形成工程後に改良土層の上面にセダムの発芽、生育が可能で、雑草等の生育を抑制できる厚さの培土層を形成する培土層形成工程と、この培土層形成工程時あるいは後でセダム苗あるいはセダム種子を植え付けるセダム植え付け工程とで緑化舗装工法を構成している。【選択図】  図８
2004248513.tif 000002
【特許請求の範囲】
【請求項１】
建設汚泥や建設発生土等を強アルカリ性になるように加工した改良土を分離帯花壇部、車道と歩道の間の花壇部、交差緑地部、路肩、路肩法面部等の地面に、下部から植物が出てくるのを阻止できる所定厚さに押し圧固定した改良土層を形成する改良土層形成工程と、この改良土層形成工程後に改良土層の上面にセダムの発芽、生育が可能で、雑草等の生育を抑制できる厚さの培土層を形成する培土層形成工程と、この培土層形成工程時あるいは後でセダム苗あるいはセダム種子を植え付けるセダム植え付け工程とを含むことを特徴とする緑化舗装工法。
【請求項２】
建設汚泥や建設発生土等に生石灰系固化剤を添加混合してＰＨが１０〜１２の強アルカリ性に加工した改良土を分離帯花壇部、車道と歩道の間の花壇部、交差緑地部、路肩、路肩法面部等の地面に、下部から植物が出てくるのを阻止できる１５ｃｍ以上の厚さに押し圧固定した改良土層を形成する改良土層形成工程と、この改良土層形成工程後に改良土層の上面にセダムの発芽、生育が可能で、雑草等の生育を抑制できる４ｃｍ以下の厚さの培土層を形成する培土層形成工程と、この培土層形成工程時あるいは後でセダム苗あるいはセダム種子を植え付けるセダム植え付け工程とを含むことを特徴とする緑化舗装工法。
【請求項３】
培土層は自然土壌、廃棄物利用の有機堆肥と固化剤を主成分とするセダム専用培土で形成することを特徴とする請求項１、２いずれかに記載の緑化舗装工法。
【請求項４】
セダム植え付け工程はガーゼや和紙等のシート本体にセダム苗をのり付けしたセダム植え付けシートを用いて行なうことを特徴とする請求項１、２、３いずれかに記載の緑化舗装工法。
【請求項５】
セダム植え付け工程はガーゼと和紙の間に３種のセダム苗をのり付けしたセダム植え付けシートを用いて行なうことを特徴とする請求項１、２、３いずれかに記載の緑化舗装工法。
【請求項６】
分離帯花壇部、車道と歩道の間の花壇部、交差緑地部、路肩、路肩法面部等の地面にブロック等を用いて形成された型枠と、この型枠内に下部から植物が出てくるのを阻止できる、所定厚さに押し圧固定された建設汚泥や建設発生土等を強アルカリ性になるように加工した改良土を用いて形成された改良土層と、この改良土層の上面に培土をセダムの発芽、生育が可能で、雑草等の生育を抑制できる厚さに形成された培土層と、この培土層に植え付けられたセダム苗あるいはセダム種子とからなることを緑化舗装。
【発明の詳細な説明】
【０００１】
【発明の属する技術分野】
本発明は分離帯花壇部、車道と歩道の間の花壇部、交差緑地部、路肩、路肩法面部等の地面の緑化舗装工法および緑化舗装に関する。
【０００２】
【従来の技術】
従来、この種の緑化舗装は型枠内に植物の発芽、生育が可能な土を入れ、植物を植え付けている。
【０００３】
【発明が解決しようとする課題】
従来の緑化舗装は植物の発芽生育のために、肥料や灌水を定期的に行なわなければならず、その作業に手数がかかり、コスト高になるという欠点があった。
また、植え付けた植物以外の雑草も生育し、見苦しくなるとともに、雑草の除去作業にコストがかかるという欠点があった。
【０００４】
本発明は以上のような従来の欠点に鑑み、発芽、生育に手数がかからず、雑草の生育を効率よく抑制して、維持、管理が低コストで、容易にでき、美観の向上を図ることができる緑化舗装工法および緑化舗装を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は建設汚泥や建設発生土等を強アルカリ性になるように加工した改良土を分離帯花壇部、車道と歩道の間の花壇部、交差緑地部、路肩、路肩法面部等の地面に、下部から植物が出てくるのを阻止できる所定厚さに押し圧固定した改良土層を形成する改良土層形成工程と、この改良土層形成工程後に改良土層の上面にセダムの発芽、生育が可能で、雑草等の生育を抑制できる厚さの培土層を形成する培土層形成工程と、この培土層形成工程時あるいは後でセダム苗あるいはセダム種子を植え付けるセダム植え付け工程とで緑化舗装工法を構成している。
【０００７】
また、本発明は分離帯花壇部、車道と歩道の間の花壇部、交差緑地部、路肩、路肩法面部等の地面にブロックを用いて形成された型枠と、この型枠内に下部から植物が出てくるのを阻止できる、所定厚さに押し圧固定された建設汚泥や建設発生土等を強アルカリ性になるように加工した改良土を用いて形成された改良土層と、この改良土層の上面に培土をセダムの発芽、生育が可能で、雑草等の生育を抑制できる厚さに形成された培土層と、この培土層に植え付けられたセダム苗あるいはセダム種子とで緑化舗装を構成している。
【０００８】
【発明の実施の形態】
以下、図面に示す実施の形態により、本発明を詳細に説明する。
【０００９】
図１ないし図８に示す本発明の第１の実施の形態において、１は分離帯花壇２となる地面３にブロック４を用いて型枠５を設置する型枠設置工程で、この型枠設置工程１は従来から一般に行なわれている方法によって行なう。
【００１０】
６は前記型枠設置工程１で設置された型枠５内に、改良土７を下部から植物が出てくるのを阻止できる所定厚さに押し圧固定した改良土層８を形成する改良土層形成工程で、この改良土層形成工程６で使用される改良土７は建設汚泥や建設発生土等に生石灰固化剤を添加混合してＰＨが１０〜１２の強アルカリ性に加工したものである。
また、改良土層８は押し圧強度等によっても異なるが、約１５〜２０ｃｍの厚さで、中央部よりも両側部が下方に位置する傾斜面９に形成し、雨水を型枠５のブロック４、４間の目地部１０の上部に形成された目地切りによる水抜き孔１１より排水できるようにする。
なお、改良土層８を形成する場合の押し圧は機械を用いた押し圧や、手作業で行なう押し圧であってもよい。
また、改良土７は建設汚泥や建設発生土等に生石灰固化剤以外のコンクリート粉砕物や破砕物、石炭火力発電所で発生するクリンカアッシュと称される産業廃棄物や他の焼却灰等の強アルカリ性剤を添加混合してＰＨが１０〜１２の強アルカリ性に加工したものを用いても良い。
【００１１】
１２は前記改良土層８の上面に培土１３をセダムの発芽、育成が可能で、雑草等の育成を抑制できる厚さに培土層１４を形成する培土層形成工程で、この培土層形成工程１２で使用される培土１３は自然土壌と廃棄物利用の有機性堆肥と固化剤とを主成分としたセダム専用培土が使用される。
また、培土層１４の厚さは雑草等の育成を抑制できる４ｃｍ以下、最適には３ｃｍ〜２ｃｍの厚さになるようにする。
【００１２】
１５は前記培土層１４にセダム苗１６あるいはセダム種子１７を植え付けるセダム植え付け工程で、このセダム植え付け工程１５は前記培土層形成工程１２時あるいは後で行なうもので、本発明は培土層１４形成後にガーゼ１８と和紙１９間にセダム苗１６あるいはセダム種子１７を配置し、ふのり等ののりを用いて接着固定したセダム植え付けシート２０を用いて行なう。
この場合、セダム植え付けシート２０の強風での移動を阻止するために、複数本の樹脂ピンや竹串２１を打ち込み固定する。
【００１３】
上記のような工法で設置された緑化舗装２２は、改良土層８が強アルカリ性であるため、地中の種、茎、根からの雑草の発芽作用を強力に抑制する。
また、培土層１４に植え付けられたセダム苗１６あるいはセダム種子１７はベンケイソウ科マンネングサ属の総称で、多肉植物のサボテンに近い植物で、海岸や岩場等、他の植物が生育できないような過酷な地盤にコロニー（固体の群落）で生息する多年層の植物で、厚さ１ｃｍ程度の土があれば、寒暖の差が大きくても、水がほとんどなくても育つ（耐暑・寒・塩・アルカリ・乾等の種々の特性を持っている）が、飛来した雑草等の種子は発芽しても培土層１４の厚さや、水分が十分にないため、生育を効率よく抑制することができる。
【００１４】
このため、分離帯花壇２にセダム１６Ａが５〜１５ｃｍに生育した状態にでき、美観の向上を図ることができるとともに、従来のように肥料や灌水を定期的に行なったり、雑草の除去作業をほとんどしなくてもよく、維持管理がほとんど不要で、コストの低減を図ることができる。
なお、本発明の実施の形態では型枠５の上面に培土層１４の上面が位置するものに付いて説明したが、本発明はこれに限らず、型枠５の上面に改良土層８の上面が位置するようにし、型枠５の上面より排水できるようにしても良い。
【００１５】
【発明の異なる実施の形態】
次に、図９ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図９ないし図１３に示す本発明の第２の実施の形態において、前記本発明の第１の実施の形態と主に異なる点は、車道と歩道の間の花壇部、交差緑地部、路肩等の地面３に設置した型枠５内に上面が平坦となるように透水性の改良土層あるいは改良土層８Ａ、本発明の実施の形態では改良土層８Ａを形成する改良土層形成工程６Ａと、ガーゼ１８と和紙１９との間に３種のセダム１６、１６Ａ、１６Ｂをのり付けしたセダム植え付けシート２０Ａを用いてセダム植え付け工程１５Ａを行なった点で、このような改良土層形成工程６Ａやセダム植え付け工程１５Ａを用いた緑化舗装工法で緑化舗装２２Ａを行なっても、前記本発明の第１の実施の形態と同様な作用効果が得られる。
なお、セダム植え付けシート２０Ａはガーゼや和紙以外の腐食するシート材や日時が経つと崩壊するシート材を用いてもよい。
また、透水性の改良土層を形成する場合には改良土を粒状に形成したものを用いたり、改良土層の所々に排水孔を形成したり、上面に溝を形成し、該溝部分の所々に排水孔を形成し、該排水孔の上面を布地等のフイルターで覆ったりすることで行う。
【００１７】
図１４ないし図１６に示す本発明の第３の実施の形態において、前記本発明の第１の実施の形態と主に異なる点は、路肩法面部の地面３Ａに該地面３Ａの傾斜と同じ傾斜となるように改良土層８Ｂを形成する改良土層形成工程６Ｂを行なった点で、このような改良土層形成工程６Ｂを用いた緑化舗装工法で緑化舗装２２Ｂを行なっても、前記本発明の第１の実施の形態と同様な作用効果が得られる。
なお、本発明の実施の形態ではブロック４を用いて型枠５を設置するものに付いて説明したが、本発明はこれに限らず、地面に改良土層形成凹部を形成し、該改良土層形成凹部に改良土層８Ｂを形成しても良い。
この場合、改良土層８Ｂの外周部よりも外方に突出するように培土層１４あるいはセダム植え付けシート２０を位置させることにより、改良土層８Ｂの外周部よりも外方に突出した培土層１４あるいはセダム植え付けシート２０に生える雑草の根によって、培土層１４の強風での移動を阻止するピン等の役目をさせることができる。
【００１８】
図１７ないし図１９に示す本発明の第４の実施の形態において、前記本発明の第１の実施の形態と主に異なる点は、培土層形成工程１２時にセダム種子１７を撒いてセダム植え付け工程１５Ｂを行なった点で、このようなセダム植え付け工程１５Ｂを用いた緑化舗装工法で緑化舗装２２Ｃを行なっても、前記本発明の第１の実施の形態と同様な作用効果が得られる。
【００１９】
なお、前記本発明の各実施の形態ではセダム専用培土を培土１３として使用して培土層１４を形成するものについて説明したが、本発明はこれに限らず、自然土壌、自然土壌の有機性堆肥を混合した土壌、自然土壌に科学肥料を混合した土壌等を倍土として使用してもよい。
また、本発明の実施の形態ではセダム植え付けシート２０、２０Ａを用いてセダム苗の植え付け工程を行なうものについて説明したが、本発明のこれに限らず、セダム植え付けシートを用いることなく、セダム苗１６を培土層１４に直接植え付けてもよい。
さらに、前記本発明の各実施の形態ではセダム植え付けシート２０、２０Ａを用いた培土層１４の強風での移動を阻止するために、複数本の樹脂ピンや竹串２１を用いて固定するものに付いて説明したが、本発明はこれに限らず、培土層１４の表面を大きなメッシュのネットで覆い、該ネットを所々複数本の樹脂ピンや竹串２１を用いて固定しても良く、また、培土層１４の外周部寄りの部位に針金、細い竹材、樹脂棒等の棒材を配置し、該棒材を所々複数本の樹脂ピンや竹串２１を用いて固定しても良い。
【００２０】
【発明の効果】
以上の説明から明らかなように、本発明にあっては次に列挙する効果が得られる。
【００２１】
（１）建設汚泥や建設発生土等を強アルカリ性になるように加工した改良土を分離帯花壇部、車道と歩道の間の花壇部、交差緑地部、路肩、路肩法面部等の地面に、下部から植物が出てくるのを阻止できる所定厚さに押し圧固定した改良土層を形成する改良土層形成工程と、この改良土層形成工程後に改良土層の上面にセダムの発芽、生育が可能で、雑草等の生育を抑制できる厚さの培土層を形成する培土層形成工程と、この培土層形成工程時あるいは後でセダム苗あるいはセダム種子を植え付けるセダム植え付け工程とからなるので、改良土層の下部の地面から雑草等が出てくるのを押し圧固定された強アルカリ性の改良土層で強力に抑制することができる。
【００２２】
（２）前記（１）によって、培土層はセダムの発芽、生育が可能で、雑草等の生育を抑制できる厚さであるので、雑草等の種子が飛来して発芽しても、育成するための培土がなく、大きくなることなく、水分不足等によって枯れさせることができる。
したがって、培土層にはセダムだけで育成して、美観の向上を図ることができる。
【００２３】
（３）前記（１）によって、培土層にセダム苗あるいはセダム種子を植え付けるだけで、セダムを発芽、育成させることができる。
したがって、肥料や灌水等を定期的に行なう必要がなく、維持管理がほとんど不要で、コストの低減を図ることができる。
【００２４】
（４）前記（１）によって、改良土として建設汚泥や建設発生土等を用いるので、従来、産業廃棄物として処理している建設汚泥や建設発生土等の有効利用を図ることができるとともに、改良土も安価に製造したものを使用でき、改良土層を安価に設置することができる。
【００２５】
（５）請求項２、３、４、５も前記（１）〜（４）と同様な効果が得られる。
【図面の簡単な説明】
【図１】本発明の第１の実施の形態の工程図。
【図２】本発明の第１の実施の形態の型枠の設置状態の説明図。
【図３】本発明の第１の実施の形態の改良土層形成工程の説明図。
【図４】本発明の第１の実施の形態の培土層形成工程の説明図。
【図５】本発明の第１の実施の形態のセダム植え付け工程の説明図。
【図６】本発明の第１の実施の形態のセダム植え付けシートの説明図。
【図７】本発明の第１の実施の形態の平面図。
【図８】図７の８−８線に沿う断面図。
【図９】本発明の第２の実施の形態の工程図。
【図１０】本発明の第２の実施の形態の改良土層形成工程の説明図。
【図１１】本発明の第２の実施の形態のセダム植え付け工程の説明図。
【図１２】本発明の第２の実施の形態のセダム植え付けシートの説明図。
【図１３】本発明の第２の実施の形態の断面図。
【図１４】本発明の第３の実施の形態の工程図。
【図１５】本発明の第３の実施の形態の改良土層形成工程の説明図。
【図１６】本発明の第３の実施の形態の断面図。
【図１７】本発明の第４の実施の形態の工程図。
【図１８】本発明の第４の実施の形態のセダム植え付け工程の説明図。
【図１９】本発明の第４の実施の形態の断面図。
【符号の説明】
１：型枠設置工程、      ２：分離帯花壇部、
３、３Ａ：地面、        ４：ブロック、
５：型枠、
６、６Ａ、６Ｂ：改良土層形成工程、
７：改良土、            ８、８Ａ：８Ｂ：改良土層、
９：傾斜面、            １０：目地部、
１１：水抜き孔、        １２：培土層形成工程、
１３：培土、            １４：培土層、
１５、１５Ａ、１５Ｂ：セダム植え付け工程、
１６：セダム苗、        １７：セダム種子、
１８：ガーゼ、          １９：和紙、
２０、２０Ａ：セダム植え付けシート、
２１：竹串、
２２、２２Ａ、２２Ｂ、２２Ｃ：緑化舗装。
【図１】
2004248513.tif 000003
【図２】
2004248513.tif 000004
【図３】
2004248513.tif 000005
【図４】
2004248513.tif 000006
【図５】
2004248513.tif 000007
【図６】
2004248513.tif 000008
【図７】
2004248513.tif 000009
【図８】
2004248513.tif 000010
【図９】
2004248513.tif 000011
【図１０】
2004248513.tif 000012
【図１１】
2004248513.tif 000013
【図１２】
2004248513.tif 000014
【図１３】
2004248513.tif 000015
【図１４】
2004248513.tif 000016
【図１５】
2004248513.tif 000017
【図１６】
2004248513.tif 000018
【図１７】
2004248513.tif 000019
【図１８】
2004248513.tif 000020
【図１９】
2004248513.tif 000021